(57)【要約】【課題】通信に要する時間とコストを抑制する。【解決手段】第１通信部２０は、プロファイル記憶部１８に記憶された、無線通信網２６を利用するための通信プロファイルに基づき、無線通信網２６を経由して通信を行う。また、通信制御部２４は、自装置、及び、同一の通信プロファイルがプロファイル記憶部１８に記憶された他の端末装置１２を含む複数の端末装置１２の中で、無線通信網２６を経由しての通信が許可された通信許可端末が自装置か否かを判定する。そして、通信制御部２４は、通信許可端末が自装置と判定した第１期間には第１通信部２０による無線通信網２６を経由しての通信を許可し、自装置が通信許可端末でない第２期間には第１通信部２０による無線通信網２６を経由しての通信を停止させる。【選択図】図１
2018121148.tif 000002
【特許請求の範囲】
【請求項１】
プロファイル記憶部に記憶された、無線通信網を利用するための通信プロファイルに基づき、前記無線通信網を経由して通信を行う第１通信部と、
自装置、及び、同一の前記通信プロファイルがプロファイル記憶部に記憶された他の端末装置を含む複数の端末装置の中で、前記無線通信網を経由しての通信が許可された通信許可端末が自装置か否かを判定し、前記通信許可端末が自装置と判定した第１期間には前記第１通信部による前記無線通信網を経由しての通信を許可し、前記第１期間以外の第２期間には前記第１通信部による前記無線通信網を経由しての通信を停止させる通信制御部と、
を含む端末装置。
【請求項２】
前記他の端末装置と無線通信を行う第２通信部を更に含み、
前記通信制御部は、前記第２通信部による前記他の端末装置との無線通信を通じて、前記通信許可端末が自装置か否かを判定する請求項１記載の端末装置。
【請求項３】
前記通信制御部は、前記通信許可端末を決定する役割が自装置に付与されている場合に、前記複数の端末装置の中から前記通信許可端末を決定し、決定した前記通信許可端末を前記第２通信部によって前記他の端末装置へ通知する請求項２記載の端末装置。
【請求項４】
前記通信制御部は、自装置の前記第１期間に前記役割が自装置に付与されていると判断し、前記無線通信網を経由しての通信を要求している端末装置の中から前記通信許可端末を決定し、自装置の前記無線通信網を経由しての通信が終了すると、決定した前記通信許可端末を前記他の端末装置へ通知する請求項３記載の端末装置。
【請求項５】
前記通信制御部は、前記役割が自装置に固定的に付与されている場合に、現在の通信許可端末による前記無線通信網を経由しての通信が終了する度に、前記無線通信網を経由しての通信を要求している端末装置の中から次の通信許可端末を決定し、決定した次の通信許可端末を前記第２通信部によって他の端末装置へ通知する請求項３記載の端末装置。
【請求項６】
前記通信制御部は、前記役割が自装置に付与されている場合に、前記無線通信網を経由しての通信を要求している端末装置の中から、通信対象の情報の種類、情報量及び優先度の少なくとも１つに基づいて前記通信許可端末を決定する請求項３乃至請求項５の何れか１項記載の端末装置。
【請求項７】
前記通信制御部は、自装置の前記第１期間に、前記第１通信部による前記無線通信網を経由しての通信が完了すると、前記無線通信網側に存在し、前記通信プロファイルと現在の前記通信許可端末の識別情報を対応付けて管理情報記憶部に記憶する管理装置に対し、前記管理情報記憶部に記憶されている前記識別情報を次の前記通信許可端末の識別情報へ書き替えるよう、前記第１通信部により前記無線通信網を経由して要求し、前記通信許可端末の識別情報の書き替え完了が前記管理装置から通知された後に、前記通信許可端末を自装置から次の前記通信許可端末へ切り替える処理を行う請求項１乃至請求項６の何れか１項記載の端末装置。
【請求項８】
前記通信制御部は、互いに異なる複数の前記通信プロファイルが前記プロファイル記憶部に各々記憶されており、かつ、前記プロファイル記憶部に記憶された第１の通信プロファイルに基づく通信で通信障害が発生した場合に、前記第１通信部により、前記プロファイル記憶部に記憶された第２の通信プロファイルに基づく通信を行わせる請求項１乃至請求項７の何れか１項記載の端末装置。
【請求項９】
プロファイル記憶部に記憶された、無線通信網を利用するための通信プロファイルに基づき、前記無線通信網を経由して通信を行う第１通信部と、
自装置、及び、同一の前記通信プロファイルがプロファイル記憶部に記憶された他の端末装置を含む複数の端末装置の中で、前記無線通信網を経由しての通信が許可された通信許可端末が自装置か否かを判定し、前記通信許可端末が自装置と判定した第１期間には前記第１通信部による前記無線通信網を経由しての通信を許可し、前記第１期間以外の第２期間には前記第１通信部による前記無線通信網を経由しての通信を停止させる通信制御部と、
を含む端末装置を複数備え、
前記通信許可端末が複数の前記端末装置の何れかへ順に切り替わる通信制御システム。
【請求項１０】
プロファイル記憶部に記憶された、無線通信網を利用するための通信プロファイルに基づき、前記無線通信網を経由して通信を行う第１通信部を含むコンピュータに、
自装置、及び、同一の前記通信プロファイルがプロファイル記憶部に記憶された他の端末装置を含む複数の端末装置の中で、前記無線通信網を経由しての通信が許可された通信許可端末が自装置か否かを判定し、前記通信許可端末が自装置と判定した第１期間には前記第１通信部による前記無線通信網を経由しての通信を許可し、前記第１期間以外の第２期間には前記第１通信部による前記無線通信網を経由しての通信を停止させる
処理を実行させるための通信制御プログラム。
【発明の詳細な説明】
【技術分野】
【０００１】
本発明は端末装置、通信制御システム及び通信制御プログラムに関する。
【背景技術】
【０００２】
互いに異なる通信事業者("Mobile Network Operator"：ＭＮＯともいう)の無線通信網を利用するための複数のEmbeded Subscriber Identity Module(以下「ｅＳＩＭ」という)を端末に記憶しておく技術が提案されている。この技術では、複数のｅＳＩＭを選択的にロードし、ロードしたｅＳＩＭに対応する通信事業者で認証を行う。
【先行技術文献】
【特許文献】
【０００３】
【特許文献１】特開２０１４−１７８７８号公報
【発明の概要】
【発明が解決しようとする課題】
【０００４】
例えば農業では、農作物の生育に影響を及ぼす気温などの環境条件を測定して管理したり、農地への害獣などの侵入を監視したい、といったニーズがある。このように、広い範囲を対象として管理や監視などを行いたい場合、センサやカメラ、無線通信部を備えた端末装置を、管理や監視などの対象とする範囲内の複数箇所に設置し、個々の端末装置で得られた情報を無線通信により収集するシステムが構築される。
【０００５】
この種のシステムにおける一般的な通信方式は、予め設定した１台の端末装置を、ＳＩＭを搭載し、通信事業者が提供する無線通信網とLong Term Evolution(ＬＴＥ)等の高速通信を行うGateway(以下「ＧＷ」という)として機能させる方式である。ＧＷとして機能する端末装置とそれ以外の端末装置との間はマルチホップ無線通信で情報を伝送することにより、管理や監視などの対象とする範囲が広い場合にも、１個のＳＩＭ(通信事業者との１回線の利用契約)により対応できる。
【０００６】
但し、端末装置の間のマルチホップ無線通信は、通信速度が115.2kbps等と低いので、端末装置の間で伝送する情報量が、例えば画像の高精細化等によって増大すると、個々の端末装置からＧＷまでの情報伝送に長大な時間が掛かる、という課題が生ずる。この課題は、個々の端末装置を各々ＧＷとして機能させ、個々の端末装置が無線通信網と直接通信させるようにすれば一応は解決できる。しかし、この場合、通信事業者との間で、端末装置の台数と同数の回線利用の契約を締結する必要があり、通信のためのコストが嵩むことになる、という別の課題が生ずる。
【０００７】
なお、前述した技術は、互いに異なる通信事業者の無線通信網を選択的に利用する技術であり、無線通信網の回線利用の契約を複数の通信事業者と各々締結することが前提となるので、上記の課題の解決には何ら寄与しない。
【０００８】
一つの側面では、本発明は、通信に要する時間とコストを抑制することが目的である。
【課題を解決するための手段】
【０００９】
一つの実施態様では、第１通信部は、プロファイル記憶部に記憶された、無線通信網を利用するための通信プロファイルに基づき、前記無線通信網を経由して通信を行う。また、通信制御部は、自装置、及び、同一の前記通信プロファイルがプロファイル記憶部に記憶された他の端末装置を含む複数の端末装置の中で、前記無線通信網を経由しての通信が許可された通信許可端末が自装置か否かを判定する。そして、通信制御部は、前記通信許可端末が自装置と判定した第１期間には前記第１通信部による前記無線通信網を経由しての通信を許可し、前記第１期間以外の第２期間には前記第１通信部による前記無線通信網を経由しての通信を停止させる。
【発明の効果】
【００１０】
一つの側面として、通信に要する時間とコストを抑制できる、という効果を有する。
【図面の簡単な説明】
【００１１】
【図１】第１実施形態に係る管理／監視システムの一例の概略ブロック図である。
【図２】通信プロファイルの一例を示す図表である。
【図３】管理情報の一例を示す図表である。
【図４】端末装置として機能するコンピュータの一例の概略ブロック図である。
【図５】第１実施形態に係る通信制御処理の一例を示すフローチャートである。
【図６】第１実施形態に係る通信許可端末決定処理の一例を示すフローチャートである。
【図７】管理情報書替処理の一例を示すフローチャートである。
【図８】第１実施形態における通信の一例を示す概略図である。
【図９】第２実施形態に係る通信制御処理の一例を示すフローチャートである。
【図１０】第２実施形態に係る通信許可端末決定処理の一例を示すフローチャートである。
【図１１】第２実施形態における通信の一例を示す概略図である。
【図１２】第３実施形態に係る管理／監視システムの概略構成を示すブロック図である。
【図１３】第３実施形態に係る通信制御処理の一例を示すフローチャートである。
【図１４】第３実施形態において、端末装置が実行するプロファイル切替処理の一例を示すフローチャートである。
【図１５】第３実施形態において、管理装置が実行するプロファイル切替処理の一例を示すフローチャートである。
【図１６】第３実施形態における通信の一例を示す概略図である。
【発明を実施するための形態】
【００１２】
以下、図面を参照して開示の技術の実施形態の一例を詳細に説明する。
【００１３】
〔第１実施形態〕
図１には、第１実施形態に係る管理／監視システム１０Ａが示されている。管理／監視システム１０Ａは、管理／監視の対象とする範囲内の互いに異なる箇所に設置された複数台の端末装置１２を有する通信制御システム１４Ａを含んでいる。なお、以下では、１つの通信制御システム１４Ａに含まれる複数台の端末装置１２が、管理／監視の対象の一例としての農地に設置された態様を説明するが、これに限定されるものではない。また、管理／監視システム１０Ａは、通信制御システム１４Ａの個々の端末装置１２から送信された情報を無線通信網２６及び有線通信網３２を経由して受信する情報蓄積サーバ３４も含んでいる。
【００１４】
端末装置１２は、情報取得部１６、プロファイル記憶部１８、第１通信部２０、第２通信部２２及び通信制御部２４を含んでいる。情報取得部１６は、管理／監視の対象の農地のうち、自装置が設置された箇所の周辺を管理及び監視するための情報(情報蓄積サーバ３４への送信対象とする情報)を取得する。本実施形態では、情報取得部１６は、図４に示すセンサ５４を含み、自装置の設置箇所の周辺の環境条件等を管理するための情報の一例として、センサ５４によって検出された気温、湿度、日照時間及び降水量等の少なくとも１つの情報を取得する。
【００１５】
また本実施形態では、情報取得部１６は、図４に示すカメラ５６を含み、自装置の設置箇所の周辺を監視するための情報の一例として、カメラ５６によって撮影された画像を取得する。更に、情報取得部１６は、カメラ５６によって撮影された画像に基づいて、自装置が設置された箇所の周辺への害獣や不審者の侵入の有無を判定し、害獣等の侵入を検知した場合は、情報蓄積サーバ３４へ送信する画像に、異常を示す情報を付加する。
【００１６】
ところで、本実施形態において、端末装置１２と情報蓄積サーバ３４との通信経路上に存在している無線通信網２６は、無線通信網２６を提供する通信事業者との間で事前に回線の利用契約を締結した加入者のみが利用可能とされている。このため、プロファイル記憶部１８は、端末装置１２が無線通信網２６を利用して無線通信を行うための通信プロファイルと、複数の端末装置１２の各々を識別するための端末識別ＩＤ(例えばeUICC-ID)と、を予め記憶している。なお、個々の端末装置１２のプロファイル記憶部１８に記憶されている端末識別ＩＤは互いに相違している。
【００１７】
本実施形態では、プロファイル記憶部１８の一例としてｅＳＩＭを適用した態様を説明するが、図１のようにプロファイル記憶部１８に通信プロファイルが１個のみ記憶させる場合は、プロファイル記憶部１８としてＳＩＭカード等を適用することも可能である。
【００１８】
通信プロファイルは、一例として図２に示すように、無線通信網２６を利用して無線通信を行うための情報として、ICCID、Mobile Subscriber ISDN number(MSISDN)、International Mobile Subscriber Identity(IMSI)などの情報を含んでいる。なお、１つの通信制御システム１４Ａに含まれる複数台の端末装置１２のプロファイル記憶部１８には、同一の通信プロファイル(図１では、これを「通信プロファイルＡ」と表記している)が各々記憶されている。
【００１９】
詳細は後述するが、通信制御システム１４Ａは、複数台の端末装置１２のうち無線通信網２６を利用して無線通信を行う端末装置１２を順に切り替え、個々の端末装置１２は、同一の通信プロファイルに基づいて無線通信網２６を利用した無線通信を行う。従って、無線通信網２６を提供する通信事業者との利用契約は１回線のみで済む。
【００２０】
第１通信部２０は、プロファイル記憶部１８に記憶された通信プロファイルに基づき、無線通信網２６を利用した無線通信を行う。なお、第１通信部２０が行う無線通信の一例はＬＴＥ等の高速通信である。また、第２通信部２２は、同一の通信制御システム１４Ａに含まれる他の端末装置１２と無線通信を行う。なお、第２通信部２２が行う無線通信の一例は低速のマルチホップ通信である。
【００２１】
通信制御部２４は、第２通信部２２による他の端末装置１２との無線通信により、同一の通信制御システム１４Ａに含まれる複数の端末装置１２の中で、無線通信網２６を利用しての無線通信が許可された通信許可端末が自装置か否かを判定する。そして通信制御部２４は、通信許可端末が自装置と判定した第１期間には第１通信部２０による無線を許可し、第１期間以外の第２期間には第１通信部２０による無線通信を停止させる。
【００２２】
無線通信網２６には、Subscription Manager(SM)とも呼ばれる管理装置２８が設けられており、管理装置２８は、管理情報を記憶する管理情報記憶部３０を含んでいる。管理情報記憶部３０に記憶されている管理情報は、一例として図３に示すように、通信事業者と回線の利用契約を締結した無線通信網２６の個々の加入者について、通信プロファイルと端末装置の端末識別ＩＤ(eUICC-ID)とが対応付けて各々記憶されている。管理情報に記憶されている通信プロファイルは、個々の加入者が使用する通信プロファイルであり、端末識別ＩＤは個々の加入者が使用する端末装置の端末識別ＩＤ(eUICC-ID)である。なお、通信制御システム１４Ａの個々の端末装置１２のプロファイル記憶部１８に各々記憶された通信プロファイル(図１に示す「通信プロファイルＡ」)は、通信制御システム１４Ａのうち所定の１つの端末装置１２の端末識別ＩＤと対応付けて記憶されている。
【００２３】
管理装置２８は、無線通信網２６を利用した無線通信が開始される度に、無線通信を行う端末装置の端末識別ＩＤ(eUICC-ID)と、無線通信を行う端末装置が使用する通信プロファイルと、の組が管理情報として管理情報記憶部３０に記憶されているかを判定する。そして、端末識別ＩＤ(eUICC-ID)と通信プロファイルの組が管理情報として記憶されている場合は無線通信を許可し、前記組が管理情報として記憶されていない場合は無線通信を遮断する処理を行う。
【００２４】
端末装置１２は、例えば図４に示すコンピュータ４０で実現することができる。コンピュータ４０はＣＰＵ４２、一時記憶領域としてのメモリ４４及び不揮発性の記憶部４６、キーボード等の入力部４８、ディスプレイ等の表示部５０、ｅＳＩＭ５２、センサ５４、カメラ５６及び無線通信部５８を含む。ＣＰＵ４２、メモリ４４、記憶部４６、入力部４８、表示部５０、ｅＳＩＭ５２、センサ５４、カメラ５６及び無線通信部５８は、バス６０を介して互いに接続されている。ｅＳＩＭ５２は図１に示すプロファイル記憶部の一例であり、無線通信部５８は第１通信部２０及び第２通信部２２の一例である。
【００２５】
記憶部４６はＨＤＤ(Hard Disk Drive)、ＳＳＤ(Solid State Drive)、フラッシュメモリ等によって実現される。記憶部４６には、コンピュータ４０を端末装置１２として機能させるための通信制御プログラム６２が記憶されており、通信許可端末情報記憶領域６８及び送信情報記憶領域７０が設けられている。ＣＰＵ４２は、通信制御プログラム６２を記憶部４６から読み出してメモリ４４に展開し、通信制御プログラム６２が有するプロセスを順次実行する。
【００２６】
通信制御プログラム６２は、情報取得プロセス６４及び通信制御プロセス６６を含む。ＣＰＵ４２は、情報取得プロセス６４を実行することで、図１に示す情報取得部１６として動作し、センサ５４によって検出された情報及びカメラ５６によって撮影された画像を取得し、送信情報記憶領域７０に記憶させる処理を行う。また、ＣＰＵ４２は、通信制御プロセス６６を実行することで、図１に示す通信制御部２４として動作する。これにより、通信制御プログラム６２を実行したコンピュータ４０が、端末装置１２として機能することになる。
【００２７】
また、記憶部４６の通信許可端末情報記憶領域６８には、通信制御システム１４Ａに含まれる複数の端末装置１２のうち、通信許可端末に設定された何れか１つの端末装置１２の端末識別ＩＤ(eUICC-ID)が通信許可端末情報として記憶される。なお、通信許可端末情報の初期値は、個々の端末装置１２のプロファイル記憶部１８に各々記憶された通信プロファイル(通信プロファイルＡ)と対応付けて管理情報記憶部３０に記憶された所定の端末装置１２の端末識別ＩＤである。
【００２８】
次に、第１実施形態の作用として、まず図５を参照し、通信制御システム１４Ａに含まれる個々の端末装置１２で行われる通信制御処理について説明する。通信制御処理のステップ１００において、端末装置１２の通信制御部２４は、記憶部４６の通信許可端末情報記憶領域６８に記憶されている通信許可端末情報を参照する。そして、ステップ１０２において、通信制御部２４は、参照した通信許可端末情報がプロファイル記憶部１８に記憶されている自装置の端末識別ＩＤ(eUICC-ID)に一致しているか否かに基づいて、自装置が通信許可端末か否かを判定する。
【００２９】
ステップ１０２の判定が否定された場合はステップ１０４へ移行し、ステップ１０４において、通信制御部２４は、情報蓄積サーバ３４へ送信すべき情報が記憶部４６の送信情報記憶領域７０に記憶されているか否か判定する。ステップ１０４の判定が肯定された場合はステップ１０６へ移行し、ステップ１０６において、通信制御部２４は、送信情報記憶領域７０に記憶されている情報の送信要求を、現在の通信許可端末に対して未送信か否か判定する。
【００３０】
ステップ１０６の判定が肯定された場合はステップ１０８へ移行する。ステップ１０８において、通信制御部２４は、自装置の端末識別ＩＤ(eUICC-ID)、送信情報記憶領域７０に記憶されている情報の種類及びデータ量を含む送信要求を通信許可端末へ送信し、ステップ１１０へ移行する。これにより、図８に「送信要求」と表記して示すように、図８に一点鎖線で囲んで示す通信許可端末以外の個々の端末装置１２は、情報蓄積サーバ３４へ送信すべき情報が有る場合、通信許可端末へ送信要求を各々送信する。なお、ステップ１０４又はステップ１０６の判定が否定された場合は、ステップ１０８をスキップしてステップ１１０へ移行する。
【００３１】
ステップ１１０において、通信制御部２４は、現在の通信許可端末から次の通信許可端末(以下、「次期通信許可端末」という)が通知されたか否か判定する。ステップ１１０の判定が否定された場合はステップ１００へ戻り、ステップ１００〜ステップ１１０を繰り返す。
【００３２】
現在の通信許可端末から次期通信許可端末が通知された場合は、ステップ１１０の判定が肯定されてステップ１１２へ移行する(図８に示す「次期通信許可端末通知」も参照)。ステップ１１２において、(eUICC-ID)通信制御部２４は、現在の通信許可端末から通知された次期通信許可端末の端末識別ＩＤを、記憶部４６の通信許可端末情報記憶領域６８に通信許可端末情報として記憶させる。ステップ１１４において、通信制御部２４は、現在の通信許可端末から通知された次期通信許可端末の端末識別ＩＤ(eUICC-ID)が自装置の端末識別ＩＤ(eUICC-ID)に一致しているか否かに基づいて、自装置が次期通信許可端末か否かを判定する。
【００３３】
ステップ１１４の判定が否定された場合はステップ１００に戻り、ステップ１００以降の処理を繰り返す。ここで、情報蓄積サーバ３４へ送信すべき情報が送信情報記憶領域７０に記憶されている場合には、前述したステップ１０４,１０６の判定が各々肯定されることで、新たな通信許可端末に対して送信要求が送信される。
【００３４】
また、自装置が次期通信許可端末であった場合には、ステップ１１４の判定が肯定されてステップ１１６へ移行する。ステップ１１６において、通信制御部２４は、現在の通信許可端末から通信許可端末の切替完了が通知されたか否か判定する。ステップ１１６の判定が否定された場合は、判定が肯定されるまでステップ１１６を繰り返す。
【００３５】
現在の通信許可端末から通信許可端末の切替完了が通知されると(図８に示す「切替完了通知」も参照)、ステップ１１６の判定が肯定されてステップ１１８へ移行する。ステップ１１８において、通信制御部２４は、プロファイル記憶部１８に記憶されている自装置の通信プロファイルを有効化し、ステップ１００へ戻る。この場合、次のステップ１０２の判定が肯定されることでステップ１２２へ移行する。
【００３６】
ステップ１２２において、通信制御部２４は、送信情報記憶領域７０に記憶されている情報を記憶部４６から所定量読み出し、読み出した情報を第１通信部２０によって無線通信網２６を経由して情報蓄積サーバ３４へ送信する(図８に示す「データ通信」も参照)。このとき、第１通信部２０による無線通信網２６との間の無線通信には、プロファイル記憶部１８に記憶されている通信プロファイル(図１に示す「通信プロファイルＡ」)が用いられる。
【００３７】
詳細は後述するが、このときには、管理装置２８の管理情報記憶部３０に記憶されている管理情報には、通信プロファイルＡと自装置の端末識別ＩＤとが対応付けて登録されているので、第１通信部２０による無線通信網２６との間の無線通信は許可される。このため、ステップ１２２で第１通信部２０によって送信された情報は情報蓄積サーバ３４で受信され、情報蓄積サーバ３４の図示しない記憶部に蓄積記憶される。なお、通信制御部２４は、ステップ１２２で情報蓄積サーバ３４への送信が完了した情報は、送信情報記憶領域７０から消去する。
【００３８】
次のステップ１２４において、通信制御部２４は、送信情報記憶領域７０に記憶されている情報を情報蓄積サーバ３４へ全て送信したか否か判定する。ステップ１２４の判定が否定された場合はステップ１２２に戻り、ステップ１２４の判定が肯定される迄、ステップ１２２,１２４を繰り返す。送信情報記憶領域７０に記憶されている情報を情報蓄積サーバ３４へ全て送信すると、ステップ１２４の判定が肯定されてステップ１２６へ移行する。
【００３９】
ステップ１２６において、通信制御部２４は、通信許可端末決定処理を行う。以下、図６を参照し、通信許可端末決定処理を説明する。
【００４０】
通信許可端末決定処理のステップ１５０において、通信制御部２４は、自装置、すなわち通信許可端末が、他の端末装置１２から送信要求を受信したか否か判定する。ステップ１５０の判定が否定された場合はステップ１５２へ移行し、ステップ１５２において、通信制御部２４は、所定時間待機した後、ステップ１５０へ戻る。従って、他の端末装置１２から送信要求を未受信の間は、ステップ１５０,１５２が繰り返される。他の端末装置１２から送信要求を受信すると、ステップ１５０の判定が肯定されてステップ１５４へ移行する。
【００４１】
ステップ１５４において、通信制御部２４は、自装置、すなわち通信許可端末が、複数の端末装置１２から送信要求を受信したか否か判定する。ステップ１５４の判定が否定された場合はステップ１５６へ移行し、ステップ１５６において、通信制御部２４は、送信要求を送信した唯一の端末装置１２を次期通信許可端末に決定し、通信許可端末決定処理を終了する。
【００４２】
また、自装置、すなわち通信許可端末が、複数の端末装置１２から送信要求を受信した場合は、ステップ１５４の判定が肯定されてステップ１５８へ移行する。ステップ１５８において、通信制御部２４は、複数の端末装置１２から各々受信した送信要求に含まれる送信情報の種類・データ量を確認する。そして、次のステップ１６０において、通信制御部２４は、複数の端末装置１２から受信した送信要求の中に、異常を示す情報を含む送信要求が有るか否か判定する。
【００４３】
ステップ１６０の判定が肯定された場合はステップ１６２へ移行し、ステップ１６２において、通信制御部２４は、異常を示す情報を含む送信要求を送信した端末装置１２が１台であれば、当該端末装置１２を次期通信許可端末に決定する。また、通信制御部２４は、異常を示す情報を含む送信要求を送信した端末装置１２が複数存在している場合、異常を示す情報を含む送信要求を送信した複数の端末装置１２のうち、送信対象の情報のデータ量が最小の端末装置１２を次期通信許可端末に決定する。そして、ステップ１６２の処理を行うと通信許可端末決定処理を終了する。
【００４４】
なお、情報蓄積サーバ３４は、異常を示す情報を端末装置１２から受信した場合、例えば管理者へ報知する等の処理を行う。上記のように、異常を示す情報を送信対象としている端末装置１２を優先的に次期通信許可端末に決定することで、情報蓄積サーバ３４による管理者へ報知する等の処理が早期に行われることで、管理者が発生した異常に早期に対処することが可能になる。
【００４５】
また、異常を示す情報を含む送信要求を送信した端末装置１２が存在しない場合は、ステップ１６０の判定が否定されてステップ１６４へ移行する。ステップ１６４において、通信制御部２４は、複数の端末装置１２から受信した送信要求の中に、画像データの送信を要求する送信要求が有るか否か判定する。
【００４６】
ステップ１６４の判定が肯定された場合はステップ１６６へ移行し、ステップ１６６において、通信制御部２４は、画像データの送信を要求している端末装置１２が１台であれば、当該端末装置１２を次期通信許可端末に決定する。また、通信制御部２４は、画像データの送信を要求している端末装置１２が複数存在している場合、画像データの送信を要求している複数の端末装置１２のうち、送信対象の画像データのデータ量が最小の端末装置１２を次期通信許可端末に決定する。そして、ステップ１６６の処理を行うと通信許可端末決定処理を終了する。
【００４７】
また、画像データの送信を要求している端末装置１２が存在しない場合は、ステップ１６４の判定が否定されてステップ１６８へ移行する。ステップ１６８において、通信制御部２４は、送信要求を送信した複数の端末装置１２のうち、送信対象の情報のデータ量が最小の端末装置１２を、次期通信許可端末に決定し、通信許可端末決定処理を終了する。
【００４８】
通信許可端末決定処理を終了すると、図５に示す通信制御処理のステップ１２８へ移行する。ステップ１２８において、通信制御部２４は、上述した通信許可端末決定処理で決定した次期通信許可端末の端末識別ＩＤ(eUICC-ID)を、自装置以外の全ての端末装置１２へ通知する(図８に示す「次期通信許可端末通知」も参照)。
【００４９】
次のステップ１３０において、通信制御部２４は、管理装置２８に対し、管理情報記憶部３０に記憶されている管理情報の書き替えを要求する。具体的には、管理情報のうち、現在使用している通信プロファイルと対応付けられている端末識別ＩＤ(eUICC-ID)を、自装置の端末識別ＩＤから次期通信許可端末の端末識別ＩＤへ書き替えるよう要求する。なお、この要求には、次期通信許可端末の端末識別ＩＤ(eUICC-ID)も含まれる。図８には、上記の要求を「eUICC-ID書替要求」と表記して示す。次のステップ１３２において、通信制御部２４は、管理装置２８から書き替え完了が通知されたか否か判定する。ステップ１３２の判定が否定された場合はステップ１３０に戻り、ステップ１３２の判定が肯定される迄、ステップ１３０,１３２を繰り返す。
【００５０】
この間、端末装置１２(現在の通信許可端末)から管理情報の書き替えが要求された管理装置２８では、図７に示す管理情報書替処理が行われる。管理情報書替処理のステップ１８０において、管理装置２８は、書替要求元の端末装置１２(現在の通信許可端末)が現在使用している通信プロファイルを認識する。次のステップ１８２において、管理装置２８は、ステップ１８０で認識した通信プロファイルをキーにして、管理情報記憶部３０に記憶されている管理情報を検索する。
【００５１】
ステップ１８４において、管理装置２８は、ステップ１８２の検索で抽出した通信プロファイルと管理情報上で対応付けられている端末識別ＩＤを、書替要求元の端末装置１２の端末識別ＩＤから、書替要求に含まれる次期通信許可端末の端末識別ＩＤへ書き替える。そして、ステップ１８６において、管理装置２８は、書替要求元の端末装置１２(現在の通信許可端末)へ管理情報の書き替え完了を通知し(図８に示す「書替完了通知」も参照)、管理情報書替処理を終了する。
【００５２】
管理情報の書き替えを要求した端末装置１２(現在の通信許可端末)は、管理装置２８から管理情報の書き替え完了が通知されると、図５のステップ１３２の判定が肯定されてステップ１３４へ移行する。ステップ１３４において、通信制御部２４は、プロファイル記憶部１８に記憶されている自装置の通信プロファイルを無効化する。
【００５３】
そして、ステップ１３６において、通信制御部２４は、次期通信許可端末へ切替完了を通知し、ステップ１００に戻る。これにより、切替完了が通知された端末装置１２(次期通信許可端末)において、先に説明したステップ１１８の処理が行われることにより、通信制御システム１４Ａ内の通信許可端末の切り替えが完了する。そして、新たに通信許可端末になった端末装置１２から情報蓄積サーバ３４へ情報が送信される。
【００５４】
〔第２実施形態〕
次に開示の技術の第２実施形態について説明する。なお、第２実施形態は第１実施形態と同一の構成であるので、各部分に同一の符号を付して構成の説明を省略し、以下、第２実施形態の作用として、第１実施形態と異なる部分を説明する。
【００５５】
第１実施形態では、通信許可端末が次期通信許可端末を決定していたが、この態様では、各端末装置１２が、通信許可端末が切り替わる度に、新たな通信許可端末へ送信要求を送信する必要がある。第２実施形態では、次期通信許可端末を決定する端末装置１２を、通信制御システム１４Ａのうちの特定の端末装置１２(以下、特定端末という)に固定することで、通信制御システム１４Ａ内のトラフィックを削減する。
【００５６】
第２実施形態では、通信制御システム１４Ａの個々の端末装置１２が、図９に示す通信制御処理を行う。第２実施形態に係る通信制御処理は、第１実施形態(図５)と比較して、自装置が通信許可端末ではなく(ステップ１０２が否定)、送信情報記憶領域７０に情報が記憶されている(ステップ１０４が肯定)場合に、ステップ１０７へ移行する点で相違している。ステップ１０７において、通信制御部２４は、送信情報記憶領域７０に記憶されている情報の送信要求を、特定端末に対して未送信か否か判定する。
【００５７】
ステップ１０７の判定が肯定された場合はステップ１０９へ移行する。ステップ１０９において、通信制御部２４は、自装置の端末識別ＩＤ(eUICC-ID)、送信情報記憶領域７０に記憶されている情報の種類及びデータ量を含む送信要求を特定端末へ送信し、ステップ１１０へ移行する。これにより、図１１に「送信要求」と表記して示すように、図１１に破線で囲んで示す特定端末以外の端末装置１２は、情報蓄積サーバ３４へ送信すべき情報が有る場合、特定端末へ送信要求を送信する。
【００５８】
なお、送信情報記憶領域７０に情報が記憶されていない場合(ステップ１０４が否定)、又は送信情報記憶領域７０に記憶されている情報の送信要求を特定端末へ送信済みの場合(ステップ１０７が否定)は、ステップ１０９をスキップしてステップ１１０へ移行する。これにより、特定端末以外の端末は、通信許可端末が切り替わる度に送信要求を送信する必要が無くなり、送信情報記憶領域７０に新たな情報が記憶される度に、特定端末へ送信要求を送信するのみで済む。
【００５９】
また、第２実施形態に係る通信制御処理は、第１実施形態(図５)と比較して、自装置が通信許可端末で(ステップ１０２が肯定)、情報蓄積サーバ３４への情報送信が完了した場合(ステップ１２４が肯定)に、ステップ１９０へ移行する。ステップ１９０において、通信制御部２４は、特定端末に対して次期通信許可端末の問い合わせを行う(図１１に示す「次期通信許可端末問い合わせ」も参照)。次のステップ１９２において、特定端末から次期通信許可端末が通知されたか否か判定する。ステップ１９２の判定が否定された場合は、判定が肯定される迄、ステップ１９２を繰り返す。
【００６０】
一方、通信許可端末から次期通信許可端末の問い合わせを受信した特定端末では、図１０に示す通信許可端末決定処理を行う。通信許可端末決定処理のステップ２３０において、特定端末の通信制御部２４は、通信制御システム１４Ａの各端末装置１２の中に、自装置を含めて送信要求中の端末装置１２が存在しているか否か判定する。
【００６１】
ここで、自装置(特定端末)が送信要求中か否かは、自装置の送信情報記憶領域７０に情報が記憶されているか否かに基づいて判定できる。また、自装置(特定端末)以外の個々の端末装置１２が送信要求中か否かは、個々の端末装置１２を通信許可端末に決定して以降の期間に、個々の端末装置から送信要求を受信したか否かに基づいて判定できる。
【００６２】
ステップ２３０の判定が否定された場合はステップ２３２へ移行し、ステップ２３２において、特定端末の通信制御部２４は、所定時間待機した後、ステップ２３０へ戻る。従って、送信要求中の端末装置１２が出現する迄の間は、ステップ２３０,２３２が繰り返される。送信要求中の端末装置１２が出現すると、ステップ２３０の判定が肯定されてステップ２３４へ移行する。
【００６３】
ステップ２３４において、特定端末の通信制御部２４は、送信要求中の端末装置１２が複数存在しているか否か判定する。ステップ２３４の判定が否定された場合はステップ２３６へ移行し、ステップ２３６において、通信制御部２４は、送信要求中の唯一の端末装置１２を次期通信許可端末に決定し、ステップ２５０へ移行する。
【００６４】
また、送信要求中の端末装置１２が複数存在している場合は、ステップ２３４の判定が肯定されてステップ２３８へ移行する。ステップ２３８において、特定端末の通信制御部２４は、送信要求中の複数の端末装置１２の各々が送信対象としている情報の種類・データ量を確認する。そして、次のステップ２４０において、特定端末の通信制御部２４は、送信要求中の複数の端末装置１２の中に、異常を示す情報を送信対象としている端末装置１２が存在しているか否か判定する。
【００６５】
ステップ２４０の判定が肯定された場合はステップ２４２へ移行する。ステップ２４２において、特定端末の通信制御部２４は、送信要求中で、かつ異常を示す情報を送信対象としている端末装置１２が１台であれば、当該端末装置１２を次期通信許可端末に決定する。また、特定端末の通信制御部２４は、送信要求中で、かつ異常を示す情報を送信対象としている端末装置１２が複数存在している場合、該当する複数の端末装置１２のうち、送信対象の情報のデータ量が最小の端末装置１２を次期通信許可端末に決定する。そして、ステップ２４２の処理を行うとステップ２５０へ移行する。
【００６６】
また、送信要求中の端末装置１２の中に、異常を示す情報を送信対象としている端末装置１２が存在しない場合は、ステップ２４０の判定が否定されてステップ２４４へ移行する。ステップ２４４において、特定端末の通信制御部２４は、送信要求中の複数の端末装置１２の中に、画像データを送信対象としている端末装置１２が含まれているか否か判定する。
【００６７】
ステップ２４４の判定が肯定された場合はステップ２４６へ移行し、ステップ２４６において、特定端末の通信制御部２４は、送信要求中でかつ画像データを送信対象としている端末装置１２が１台であれば、当該端末装置１２を次期通信許可端末に決定する。また、特定端末の通信制御部２４は、送信要求中でかつ画像データを送信対象としている端末装置１２が複数存在している場合、該当する複数の端末装置１２のうち、送信対象の画像データのデータ量が最小の端末装置１２を次期通信許可端末に決定する。そして、ステップ２４６の処理を行うとステップ２５０へ移行する。
【００６８】
また、送信要求中の複数の端末装置１２の中に、画像データを送信対象としている端末装置１２が存在しない場合は、ステップ２４４の判定が否定されてステップ２４８へ移行する。ステップ２４８において、特定端末の通信制御部２４は、送信要求中の複数の端末装置１２のうち、送信対象の情報のデータ量が最小の端末装置１２を次期通信許可端末に決定する。そして、ステップ２４８の処理を行うとステップ２５０へ移行する。
【００６９】
ステップ２５０において、特定端末の通信制御部２４は、上述した処理により決定した次期通信許可端末を現在の通信許可端末へ通知し(図１１に示す端末Ｃから端末Ａへの「次期通信許可端末通知」も参照)、通信許可端末決定処理を終了する。
【００７０】
通信許可端末では、特定端末から次期通信許可端末が通知されると、図９のステップ１９２の判定が肯定されてステップ１９４へ移行する。ステップ１９４において、通信許可端末の通信制御部２４は、特定端末から通知された次期通信許可端末の端末識別ＩＤ(eUICC-ID)を、自装置以外の全ての端末装置１２へ通知する(図１１に示す端末Ａから端末Ｂへの「次期通信許可端末通知」も参照)。
【００７１】
なお、第２実施形態において、上述した処理以外の処理は第１実施形態と同一であるので、説明を省略する。
【００７２】
〔第３実施形態〕
次に開示の技術の第３実施形態について説明する。なお、第１実施形態と同一の部分には同一の符号を付して説明を省略し、第１実施形態と異なる部分のみ説明する。
【００７３】
図１２には、第３実施形態に係る管理／監視システム１０Ｂが示されている。管理／監視システム１０Ｂは通信制御システム１４Ｂを含んでいる。通信制御システム１４Ｂは、第１実施形態に係る通信制御システム１４Ａと比較して、個々の端末装置１２のプロファイル記憶部１８が、複数の通信プロファイル(図１２では「通信プロファイルＡ」「通信プロファイルＢ」)を記憶している点で相違している。なお、第３実施形態では、複数の通信プロファイルの一例として、同一の無線通信網２６を利用するための互いに異なる通信プロファイルを適用した態様を説明する。但し、これに限られるものではなく、複数の通信プロファイルは、異なる通信事業者が提供する無線通信網２６を利用するための通信プロファイルであってもよい。
【００７４】
第３実施形態では、通信制御システム１４Ｂの個々の端末装置１２が、図１３に示す通信制御処理を行う。第３実施形態に係る通信制御処理は、第１実施形態(図５)と比較して、自装置が通信許可端末で(ステップ１０２が肯定)、送信情報記憶領域７０に記憶されている所定量の情報を情報蓄積サーバ３４へ送信する(ステップ１２２)と、ステップ２００へ移行する。ステップ２００において、通信許可端末の通信制御部２４は、情報蓄積サーバ３４への情報の送信で通信障害が発生したか否か判定する。
【００７５】
ステップ２００の判定が否定された場合はステップ１２４へ移行し、ステップ１２４において、通信許可端末の通信制御部２４は、第１実施形態と同様に、送信情報記憶領域７０に記憶されている情報を情報蓄積サーバ３４へ全て送信したか否か判定する。ステップ１２４の判定が否定された場合はステップ１２２に戻り、ステップ２００の判定が肯定されるか、又は、ステップ１２４の判定が肯定される迄、ステップ１２２,２００,１２４を繰り返す。情報蓄積サーバ３４への情報の送信が、途中で通信障害が発生することなく完了した場合には、ステップ１２４の判定が肯定され、第１実施形態と同様にステップ１２６へ移行する。
【００７６】
一方、情報蓄積サーバ３４への情報送信の途中で通信障害が発生した場合には、ステップ２００の判定が肯定されてステップ２０２へ移行し、ステップ２０２において、通信許可端末の通信制御部２４は、プロファイル切替処理を行う。
【００７７】
図１４に示すように、プロファイル切替処理のステップ２１０において、通信許可端末の通信制御部２４は、管理装置２８に対し、自装置の端末識別ＩＤ及び切替後の通信プロファイルを情報として含むプロファイル切替要求を送信する。次のステップ２１２において、通信許可端末の通信制御部２４は、管理装置２８から通信プロファイルの切り替え完了が通知されたか否か判定する。ステップ２１２の判定が否定された場合はステップ２１０に戻り、ステップ２１２の判定が肯定される迄、ステップ２１０,２１２を繰り返す。
【００７８】
この間、端末装置１２(通信許可端末)から通信プロファイルの切り替えが要求された管理装置２８では、図１５に示すプロファイル切替処理が行われる。プロファイル切替処理のステップ２２０において、管理装置２８は、受信したプロファイル切替要求から通信許可端末の端末識別ＩＤを抽出する。次のステップ２２２において、管理装置２８は、ステップ２２０で抽出した通信許可端末の端末識別ＩＤをキーにして、管理情報記憶部３０に記憶されている管理情報を検索する。
【００７９】
ステップ２２４において、管理装置２８は、ステップ２２２の検索で抽出した端末識別ＩＤと管理情報上で対応付けられている通信プロファイルを、通信許可端末から受信したプロファイル切替要求に含まれる切替後の通信プロファイルへ書き替える。そして、ステップ２２６において、管理装置２８は、通信許可端末へ通信プロファイルの切替完了を通知し、プロファイル切替処理(図１５)を終了する。
【００８０】
通信許可端末は、管理装置２８から管理情報の書き替え完了が通知されると、図１４のステップ２１２の判定が肯定されてステップ２１４へ移行する。ステップ１３４において、通信許可端末の通信制御部２４は、自装置のプロファイル記憶部１８に記憶されている複数の通信プロファイルのうち、これまで使用していた通信プロファイルを無効化すると共に、切替後の通信プロファイルを有効化する。ステップ１３４の処理を行うと、プロファイル切替処理(図１４)を終了して図１３のステップ１２２に戻る。これにより、切替後の通信プロファイルに基づいて、情報蓄積サーバ３４への情報送信が再開されるので、通信プロファイルの切り替えに伴って通信障害が解消される可能性が生じ、端末装置１２から情報蓄積サーバ３４への情報送信が滞ることが抑制される。
【００８１】
また、第３実施形態では、通信許可端末から次期通信許可端末へ通信許可端末の切替完了を通知する際に、現在使用中の通信プロファイルも通知する(図１３のステップ２０４を参照)。これにより、新たな通信許可端末において、通知された使用中の通信プロファイルに基づいて、情報蓄積サーバ３４への情報送信が行われる。
【００８２】
以上説明したように、上述した各実施形態では、第１通信部２０は、プロファイル記憶部１８に記憶された、無線通信網２６を利用するための通信プロファイルに基づき、無線通信網２６を経由して通信を行う。また、通信制御部２４は、自装置、及び、同一の通信プロファイルがプロファイル記憶部１８に記憶された他の端末装置１２を含む複数の端末装置１２の中で、無線通信網２６を経由しての通信が許可された通信許可端末が自装置か否かを判定する。そして、通信制御部２４は、通信許可端末が自装置と判定した第１期間には第１通信部２０による無線通信網２６を経由しての通信を許可し、自装置が通信許可端末でない第２期間には第１通信部２０による無線通信網２６を経由しての通信を停止させる。これにより、個々の端末装置１２から情報蓄積サーバ３４へ送信する情報を、端末装置１２の間で転送する必要が無くなり、個々の端末装置１２から情報蓄積サーバ３４への情報送信に要する時間を抑制できる。また、個々の端末装置が同一の通信プロファイルを時分割で用いて情報蓄積サーバ３４へ情報を送信するので、個々の端末装置１２から情報蓄積サーバ３４への情報送信に要するコストも抑制できる。
【００８３】
また、上述した各実施形態では、第２通信部２２が他の端末装置１２と無線通信を行い、通信制御部２４は、第２通信部２２による他の端末装置１２との無線通信を通じて、通信許可端末が自装置か否かを判定する。他の端末装置１２との無線通信は一般に低速であるが、この無線通信を通信許可端末が自装置か否かの判定に利用する程度であれば、個々の端末装置１２から情報蓄積サーバ３４への情報送信に要する時間に悪影響を及ぼすことを抑制できる。
【００８４】
また、第１,第３実施形態では自装置が通信許可端末である場合、第２実施形態では自装置が特定端末である場合に、通信制御部２４は、複数の端末装置１２の中から通信許可端末を決定する。そして通信制御部２４は、決定した通信許可端末を第２通信部２２によって他の端末装置１２へ通知する。これにより、複数の端末装置を含む通信制御システムの外部の装置の構成変更を必要とすることなく、通信制御システム内で自律的に通信許可端末を決定することができる。
【００８５】
また、第１,第３実施形態では自装置が通信許可端末である場合に、通信制御部２４は、無線通信網２６を経由しての通信を要求している端末装置１２の中から通信許可端末を決定する。そして、自装置の通信が終了すると、決定した通信許可端末を他の端末装置１２へ通知する。これにより、複数の端末装置を含む通信制御システム内の一部の端末装置の動作が不調になった場合にも、他の端末装置が影響を受けることなく、情報蓄積サーバ３４への情報送信を行うことができる。
【００８６】
また、第２実施形態では自装置が特定端末である場合に、通信制御部２４は、現在の通信許可端末による無線通信網２６を経由しての通信が終了する度に、無線通信網２６を経由しての通信を要求している端末装置１２の中から次の通信許可端末を決定する。そして、通信制御部２４は、決定した次の通信許可端末を第２通信部２２によって他の端末装置１２へ通知する。これにより、複数の端末装置を含む通信制御システム内の端末装置の間の通信を減らすことができる。
【００８７】
また、第１,第３実施形態では自装置が通信許可端末である場合、第２実施形態では自装置が特定端末である場合に、通信制御部２４は、無線通信網２６を経由しての通信を要求している端末装置１２の中から通信許可端末を決定する。また、通信許可端末の決定は、送信要求に含まれる通信対象の情報の種類、情報量及び優先度の少なくとも１つに基づいて行う。これにより、通信許可端末を無作為に決定する場合と比較して、無線通信網２６を経由しての通信が完了する迄の時間を、通信対象の情報の種類、情報量及び優先度の少なくとも１つに応じて制御することができる。
【００８８】
また、上述した各実施形態では、通信制御部２４は、自装置が通信許可端末である場合に、第１通信部２０による無線通信網２６を経由しての通信が完了すると、無線通信網２６側に存在する管理装置２８に対して以下の要求をする。すなわち、管理装置２８は、通信プロファイルと現在の通信許可端末の端末識別ＩＤを対応付けて管理情報記憶部３０に記憶している。この管理装置２８に対し、管理情報記憶部３０に記憶されている端末識別ＩＤを次の通信許可端末の端末識別ＩＤへ書き替えるよう、第１通信部２０により無線通信網２６を経由して要求する。そして通信制御部２４は、通信許可端末の端末識別ＩＤの書き替え完了が管理装置２８から通知された後に、通信許可端末を自装置から次の通信許可端末へ切り替える処理を行う。これにより、通信可能端末を時分割に切り替えることを、無線通信網２６側に存在する管理装置２８から通信を拒否されることなく実現することができる。
【００８９】
また、第３実施形態では、互いに異なる複数の通信プロファイルがプロファイル記憶部１８に各々記憶されている。また、通信制御部２４は、かつ、プロファイル記憶部１８に記憶された第１の通信プロファイルに基づく通信で通信障害が発生した場合に、第１通信部２０により、プロファイル記憶部１８に記憶された第２の通信プロファイルに基づく通信を行わせる。これにより、無線通信網２６を経由しての通信が通信障害等によって滞る頻度を低減することができる。
【００９０】
なお、第１,第３実施形態では通信許可端末、第２実施形態では特定端末が通信許可端末を決定する態様を説明したが、これに限定されるものではない。通信許可端末の決定は通信制御システム１４の外部の装置、例えば情報蓄積サーバ３４又は管理装置２８が行うことも可能である。但し、この場合、外部の装置の構成を変更する必要があるので、通信制御システム１４内の何れかの端末装置１２で行うことが好ましい。
【００９１】
また、上記各実施形態では、通信制御システム１４内の何れかの端末装置１２が通信許可端末を決定する態様を説明したが、通信許可端末を決定する処理を省略することも可能である。例えば、通信制御システム１４内の個々の端末装置１２を通信許可端末に割り当てる時間及び順番を予め決定しておく。そして、個々の端末装置１２を、予め決定された時間及び順番に基づき、自装置が通信許可端末になっている期間を判断し、自装置が通信許可端末になっている期間にのみ、無線通信網２６を経由して情報蓄積サーバ３４への情報送信を行う。この態様は、個々の端末装置１２が、自装置が通信許可端末になっている期間に内蔵タイマの時刻の校正も行うようにすれば、端末装置１２の間での無線通信を省略することも可能である。
【００９２】
また、上記では本発明に係る通信制御プログラムの一例である通信制御プログラム６２が記憶部４６に予め記憶（インストール）されている態様を説明した。しかし、本発明に係る通信制御プログラムは、ＣＤ−ＲＯＭやＤＶＤ−ＲＯＭ、メモリカード等の記録媒体に記録されている形態で提供することも可能である。
【００９３】
本明細書に記載された全ての文献、特許出願及び技術規格は、個々の文献、特許出願及び技術規格が参照により取り込まれることが具体的かつ個々に記された場合と同程度に、本明細書中に参照により取り込まれる。
【００９４】
以上の実施形態に関し、更に以下の付記を開示する。
【００９５】
（付記１）
プロファイル記憶部に記憶された、無線通信網を利用するための通信プロファイルに基づき、前記無線通信網を経由して通信を行う第１通信部と、
自装置、及び、同一の前記通信プロファイルがプロファイル記憶部に記憶された他の端末装置を含む複数の端末装置の中で、前記無線通信網を経由しての通信が許可された通信許可端末が自装置か否かを判定し、前記通信許可端末が自装置と判定した第１期間には前記第１通信部による前記無線通信網を経由しての通信を許可し、前記第１期間以外の第２期間には前記第１通信部による前記無線通信網を経由しての通信を停止させる通信制御部と、
を含む端末装置。
【００９６】
（付記２）
プロファイル記憶部に記憶された、無線通信網を利用するための通信プロファイルに基づき、前記無線通信網を経由して通信を行う第１通信部と、
自装置、及び、同一の前記通信プロファイルがプロファイル記憶部に記憶された他の端末装置を含む複数の端末装置の中で、前記無線通信網を経由しての通信が許可された通信許可端末が自装置か否かを判定し、前記通信許可端末が自装置と判定した第１期間には前記第１通信部による前記無線通信網を経由しての通信を許可し、前記第１期間以外の第２期間には前記第１通信部による前記無線通信網を経由しての通信を停止させる通信制御部と、
を含む端末装置を複数備え、
前記通信許可端末が複数の前記端末装置の何れかへ順に切り替わる通信制御システム。
【００９７】
（付記３）
前記他の端末装置と無線通信を行う第２通信部を更に含み、
前記通信制御部は、前記第２通信部による前記他の端末装置との無線通信を通じて、前記通信許可端末が自装置か否かを判定する付記１記載の端末装置、又は、付記２記載の通信制御システム。
【００９８】
（付記４）
前記通信制御部は、前記通信許可端末を決定する役割が自装置に付与されている場合に、前記複数の端末装置の中から前記通信許可端末を決定し、決定した前記通信許可端末を前記第２通信部によって前記他の端末装置へ通知する付記３記載の端末装置、又は、付記３記載の通信制御システム。
【００９９】
（付記５）
前記通信制御部は、自装置の前記第１期間に前記役割が自装置に付与されていると判断し、前記無線通信網を経由しての通信を要求している端末装置の中から前記通信許可端末を決定し、自装置の前記無線通信網を経由しての通信が終了すると、決定した前記通信許可端末を前記他の端末装置へ通知する付記４記載の端末装置、又は、付記４記載の通信制御システム。
【０１００】
（付記６）
前記通信制御部は、前記役割が自装置に固定的に付与されている場合に、現在の通信許可端末による前記無線通信網を経由しての通信が終了する度に、前記無線通信網を経由しての通信を要求している端末装置の中から次の通信許可端末を決定し、決定した次の通信許可端末を前記第２通信部によって他の端末装置へ通知する付記４記載の端末装置、又は、付記４記載の通信制御システム。
【０１０１】
（付記７）
前記通信制御部は、前記役割が自装置に付与されている場合に、前記無線通信網を経由しての通信を要求している端末装置の中から、通信対象の情報の種類、情報量及び優先度の少なくとも１つに基づいて前記通信許可端末を決定する付記４乃至付記６の何れか１項記載の端末装置、又は、付記４乃至付記６の何れか１項記載の通信制御システム。
【０１０２】
（付記８）
前記通信制御部は、自装置の前記第１期間に、前記第１通信部による前記無線通信網を経由しての通信が完了すると、前記無線通信網側に存在し、前記通信プロファイルと現在の前記通信許可端末の識別情報を対応付けて管理情報記憶部に記憶する管理装置に対し、前記管理情報記憶部に記憶されている前記識別情報を次の前記通信許可端末の識別情報へ書き替えるよう、前記第１通信部により前記無線通信網を経由して要求し、前記通信許可端末の識別情報の書き替え完了が前記管理装置から通知された後に、前記通信許可端末を自装置から次の前記通信許可端末へ切り替える処理を行う付記１、付記３乃至付記７の何れか１項記載の端末装置、又は、付記２乃至付記７の何れか１項記載の通信制御システム。
【０１０３】
（付記９）
前記通信制御部は、互いに異なる複数の前記通信プロファイルが前記プロファイル記憶部に各々記憶されており、かつ、前記プロファイル記憶部に記憶された第１の通信プロファイルに基づく通信で通信障害が発生した場合に、前記第１通信部により、前記プロファイル記憶部に記憶された第２の通信プロファイルに基づく通信を行わせる付記１、付記３乃至付記８の何れか１項記載の端末装置、又は、付記２乃至付記８の何れか１項記載の通信制御システム。
【０１０４】
（付記１０）
プロファイル記憶部に記憶された、無線通信網を利用するための通信プロファイルに基づき、前記無線通信網を経由して通信を行う第１通信部を含むコンピュータに、
自装置、及び、同一の前記通信プロファイルがプロファイル記憶部に記憶された他の端末装置を含む複数の端末装置の中で、前記無線通信網を経由しての通信が許可された通信許可端末が自装置か否かを判定し、前記通信許可端末が自装置と判定した第１期間には前記第１通信部による前記無線通信網を経由しての通信を許可し、前記第１期間以外の第２期間には前記第１通信部による前記無線通信網を経由しての通信を停止させる
処理を実行させるための通信制御プログラム。
【０１０５】
（付記１１）
前記コンピュータは、前記他の端末装置と無線通信を行う第２通信部を更に含み、
前記第２通信部による前記他の端末装置との無線通信を通じて、前記通信許可端末が自装置か否かを判定する付記１０記載の通信制御プログラム。
【０１０６】
（付記１２）
前記通信許可端末を決定する役割が自装置に付与されている場合に、前記複数の端末装置の中から前記通信許可端末を決定し、決定した前記通信許可端末を前記第２通信部によって前記他の端末装置へ通知する付記１１記載の通信制御プログラム。
【０１０７】
（付記１３）
自装置の前記第１期間に前記役割が自装置に付与されていると判断し、前記無線通信網を経由しての通信を要求している端末装置の中から前記通信許可端末を決定し、自装置の前記無線通信網を経由しての通信が終了すると、決定した前記通信許可端末を前記他の端末装置へ通知する付記１２記載の通信制御プログラム。
【０１０８】
（付記１４）
前記役割が自装置に固定的に付与されている場合に、現在の通信許可端末による前記無線通信網を経由しての通信が終了する度に、前記無線通信網を経由しての通信を要求している端末装置の中から次の通信許可端末を決定し、決定した次の通信許可端末を前記第２通信部によって他の端末装置へ通知する付記１２記載の通信制御プログラム。
【０１０９】
（付記１５）
前記役割が自装置に付与されている場合に、前記無線通信網を経由しての通信を要求している端末装置の中から、通信対象の情報の種類、情報量及び優先度の少なくとも１つに基づいて前記通信許可端末を決定する付記１２乃至付記１４の何れか１項記載の通信制御プログラム。
【０１１０】
（付記１６）
自装置の前記第１期間に、前記第１通信部による前記無線通信網を経由しての通信が完了すると、前記無線通信網側に存在し、前記通信プロファイルと現在の前記通信許可端末の識別情報を対応付けて管理情報記憶部に記憶する管理装置に対し、前記管理情報記憶部に記憶されている前記識別情報を次の前記通信許可端末の識別情報へ書き替えるよう、前記第１通信部により前記無線通信網を経由して要求し、前記通信許可端末の識別情報の書き替え完了が前記管理装置から通知された後に、前記通信許可端末を自装置から次の前記通信許可端末へ切り替える処理を行う付記１０乃至付記１５の何れか１項記載の通信制御プログラム。
【０１１１】
（付記１７）
互いに異なる複数の前記通信プロファイルが前記プロファイル記憶部に各々記憶されており、かつ、前記プロファイル記憶部に記憶された第１の通信プロファイルに基づく通信で通信障害が発生した場合に、前記第１通信部により、前記プロファイル記憶部に記憶された第２の通信プロファイルに基づく通信を行わせる付記１０乃至付記１６の何れか１項記載の通信制御プログラム。
【符号の説明】
【０１１２】
１０Ａ,１０Ｂ…管理／監視システム、１２…端末装置、１４Ａ,１４Ｂ…通信制御システム、１８…プロファイル記憶部、２０…第１通信部、２２…第２通信部、２４…通信制御部、２６…無線通信網、２８…管理装置、３０…管理情報記憶部、３４…情報蓄積サーバ、４０…コンピュータ、４２…ＣＰＵ、４４…メモリ、４６…記憶部、５４…センサ、５６…カメラ、５８…無線通信部、６２…通信制御プログラム、６８…通信許可端末情報記憶領域、７０…送信情報記憶領域
【図１】
2018121148.tif 000003
【図２】
2018121148.tif 000004
【図３】
2018121148.tif 000005
【図４】
2018121148.tif 000006
【図５】
2018121148.tif 000007
【図６】
2018121148.tif 000008
【図７】
2018121148.tif 000009
【図８】
2018121148.tif 000010
【図９】
2018121148.tif 000011
【図１０】
2018121148.tif 000012
【図１１】
2018121148.tif 000013
【図１２】
2018121148.tif 000014
【図１３】
2018121148.tif 000015
【図１４】
2018121148.tif 000016
【図１５】
2018121148.tif 000017
【図１６】
2018121148.tif 000018